(57)【要約】【課題】  プレゼンテーションを行っているときの状況を記録する機能を備えた液晶プロジェクタを提供することを目的とする。【解決手段】  筐体１１内に、液晶プロジェクタユニット２０の他にＤＶＤ−ＲＡＭユニット３０及びマイク２６を有する。コントローラ５０によって、ＤＶＤ−ＲＡＭユニット３０は、液晶プロジェクタユニット２０が投射した画像の情報に加えて、マイク２６がピックアップした音声の情報を、ＤＶＤ−ＲＡＭ３１に記録する。【選択図】  図１
2006003656.tif 000002
【特許請求の範囲】
【請求項１】
画像を投射するプロジェクタにおいて、
該プロジェクタの内部に、該プロジェクタが投射した画像の情報をメディアに記録する記録ユニットを設けた構成としたことを特徴とするプロジェクタ。
【請求項２】
請求項１に記載のプロジェクタにおいて、
マイクを備えてなり、
上記記録ユニットは、該プロジェクタが投射した画像の情報に加えて、上記マイクがピックアップした音声の情報を上記メディアに記録する構成であることを特徴とするプロジェクタ。
【請求項３】
請求項１又は請求項２に記載のプロジェクタにおいて、
上記記録ユニットは、上記情報が記録されているメディアを再生することも可能であることを特徴とするプロジェクタ。
【請求項４】
請求項１又は請求項２に記載のプロジェクタにおいて、
上記記録ユニットは、上記メディアがディスクである構成であることを特徴とするプロジェクタ。
【発明の詳細な説明】
【技術分野】
【０００１】
本発明はプロジェクタに関する。
【背景技術】
【０００２】
プロジェクタは、業務においては、例えば製品、企画等をプレゼンテーションすることに使用される。従来のプロジェクタの中には、スクリーン上に投射した画像と同じ画像を、印画紙を利用して印刷する機能を備えたものがある。
【特許文献１】特開平１１−９８４４０号公報
【発明の開示】
【発明が解決しようとする課題】
【０００３】
プロジェクタを使用して製品等のプレゼンテーションを行った場合に、プレゼンテーションに出席することができなかった人に、プレゼンテーションの内容を知らしめるには、上記の印刷機能を備えたプロジェクタでは不十分であり、ビデオカメラ、ＶＴＲを別途準備して、ビデオカメラでプレゼンテーションの様子を撮影してこれをビデオテープに記録したり、ＶＴＲを別途準備して、ケーブルを使用してこれをプロジェクタに接続し、ＶＴＲを電源に接続して、プロジェクタが投射した画像と同じ画像を記録したりして、このビデオテープをプレゼンテーションに出席することができなかった人に配布することが必要であった。
【０００４】
しかし、ビデオカメラ、ＶＴＲ等を別途準備すること、これらをケーブルでもってプロジェクタに接続すること、及び、ビデオカメラ、ＶＴＲ等を操作することは、非常に手間がかかり、面倒なことであった。
【０００５】
そこで、本発明は、上記課題を解決したプロジェクタを提供することを目的とする。
【課題を解決するための手段】
【０００６】
そこで、上記課題を解決するため、本発明は、画像を投射するプロジェクタにおいて、該プロジェクタの内部に、該プロジェクタが投射した画像の情報をメディアに記録する記録ユニットを設けた構成としたものである。
【発明の効果】
【０００７】
本発明によれば、簡単な操作によって、メディアに、プレゼンテーションの状況を簡単に記録することが出来る。
【発明を実施するための最良の形態】
【０００８】
次に本発明の実施の形態について説明する。
【実施例１】
【０００９】
図１は本発明の実施例１になる液晶プロジェクタ１０の外観を示し、図２はこの液晶プロジェクタ１０のブロック図を示す。
【００１０】
図１及び図２に示すように、液晶プロジェクタ１０は、筐体１１内に、液晶プロジェクタ光学ユニット２０の他にＤＶＤ−ＲＡＭユニット３０及びスピーカ２５、マイク２６が組み込んである構成である。液晶プロジェクタ光学ユニット２０は、筐体１１の前面１１ａ側から見て、左側に配置してあり、ＤＶＤ−ＲＡＭユニット３０は、筐体１１の前面１１ａ側から見て、右側に配置してある。ＵＳＢコネクタ１２等が筐体１１の背面側１１ｂに設けてある。また、筐体１１の上面１１ｃに、操作部７０が設けてある。
【００１１】
液晶プロジェクタ光学ユニット２０は、液晶パネル２１と、投射用光源２２と、投射レンズ２３とを有し、液晶パネル２１に表された画像を投射用光源２２からの光によって投射レンズ２３を通して拡大されて、スクリーン上に投射する。
【００１２】
また、液晶プロジェクタ１０は、更に、コントローラ５０、ＣＰＵ５１、ビデオ信号処理部５２等を有する。ＣＰＵ５１は操作部７０からの指令によってコントローラ５０の動作を制御する。コントローラ５０は、映像信号及び音声信号の流れを制御する。
【００１３】
ＤＶＤ−ＲＡＭユニット３０は、未記録のＤＶＤ−ＲＡＭ３１を支持して出入りするトレイ３２を有し、ターンテーブルを回転させるスピンドルモータ３３、信号を読み書きする光学ピックアップ３４、スピンドルモータ３３及び光学ピックアップ３４を駆動するドライバー３５、コントローラ３６、ＡＶデコーダ３７、ＡＶエンコーダ３８、ＲＦアンプ３９、コントローラ３６を制御するＣＰＵ４０とを有する。
【００１４】
次に、上記液晶プロジェクタ１０の動作について説明する。
【００１５】
プレゼンテーションを行うに当っては、プレゼンタは、液晶プロジェクタ１０を会場に置き、パーソナルコンピュータを液晶プロジェクタ１０のＵＳＢコネクタ１２に接続すると共に、トレイ３２を利用してＤＶＤ−ＲＡＭ３１をＤＶＤ−ＲＡＭユニット３０内にセットする。これで準備が完了し、作業は簡単である。
【００１６】
この状態で、プレゼンタは、操作部７０を操作し、且つパーソナルコンピュータを操作する。これにより、投射用光源２２がオンとされ、パーソナルコンピュータからのビデオ及び音声情報がＡＶ信号入力ポート５３を通してコントローラ５０に供給される。
【００１７】
コントローラ５０は、ビデオ信号をビデオ信号処理部５２に送り出し、音声信号をスピーカ２５に送り出すと共に、ＤＶＤ−ＲＡＭユニット３０のＡＶエンコーダ３８にビデオ信号と音声信号とを送り出し、更に、マイク２６がピックアップした音声をＤＶＤ−ＲＡＭユニット３０のＡＶエンコーダ３８に送り出す。
【００１８】
ビデオ信号処理部５２によって処理された信号によって液晶プロジェクタユニット２０の液晶パネル２１が駆動されて、ここに画像が表わされ、液晶パネル２１に表された画像が投射用光源２２からの光によって投射レンズ２３を通して拡大されてスクリーン上に投射される。またスピーカ２５より投射されている画像に関する情報が発音される。プレゼンタがハンドマイクを通して話した内容が別に設置してあるスピーカから発音される。このようにして、プレゼンテーションが進行する。
【００１９】
また、このときに、パーソナルコンピュータからのビデオ及び音声情報、及び内蔵マイク２６がピックアップした音声情報が、ＤＶＤ−ＲＡＭユニット３０のＡＶエンコーダ３８に供給され、ＤＶＤ−ＲＡＭユニット３０が動作を開始する。ＡＶエンコーダ３８でもってエンコードされたビデオ情報及び音声情報がドライバー３５に送られ、ドライバー３５によって光学ピックアップ３４が駆動されて、ＤＶＤ−ＲＡＭ３１に情報が記録される。即ち、ＤＶＤ−ＲＡＭ３１には、スクリーン上に投射された映像と同じ映像の情報、スピーカ４０が発音した音声と同じ音声の情報、更には、内蔵マイク５０がピックアップした音声、即ち、プレゼンテーションを行っている室内で発生した音、例えば、出席者の質問、が記録される。よって、プレゼンテーションの内容及びプレゼンテーションの会場の状況が記録されたＤＶＤ−ＲＡＭ３１Ａが製作される。このＤＶＤ−ＲＡＭ３１Ａを製作するための作業は、ＤＶＤ−ＲＡＭ３１をＤＶＤ−ＲＡＭユニット３０にセットすること、及び操作部７０を最初に操作するだけであり、簡単である。
【００２０】
よって、プレゼンテーション終了後に、ＤＶＤ−ＲＡＭ３１Ａを取り出し、後日、このＤＶＤ−ＲＡＭ３１Ａをプレゼンテーションに出席できなかった人に回覧等をすることによって、プレゼンテーションに出席できなかった人は、ＤＶＤ−ＲＡＭ３１ＡをＤＶＤプレーヤで再生して、プレゼンテーションの状況を確認することが出来る。
【００２１】
ＤＶＤ−ＲＡＭ３１Ａを上記の液晶プロジェクタ１０のＤＶＤ−ＲＡＭユニット３０にセットした場合には、ＤＶＤ−ＲＡＭ３１Ａが光学ピックアップ３４によって読み出され、ＲＦアンプ３９で増幅された後に、コントローラ３６に送られ、ＡＶデコーダ３７でデコードされ、このデコードされた情報がＤＶＤ−ＲＡＭユニット３０から出力され、コントローラ５０に供給される。
【００２２】
コントローラ５０は、ビデオ信号をビデオ信号処理部５２に送り出し、音声信号をスピーカ２５に送り出す。ビデオ信号処理部５２によって処理された信号によって液晶プロジェクタユニット２０の液晶パネル２１が駆動され、液晶パネル２１に表された画像が投射レンズ２３を通して拡大されてスクリーン上に投射される。またスピーカ２５が発音される。これによって、先に行われたプレゼンテーションの状況が再現される。
【００２３】
図１及び図２に示す液晶プロジェクタ１０において、ＤＶＤ−ＲＡＭユニット３０に代えて、使用する記録メディアがＤＶＤ−Ｒ、ＤＶＤ−ＲＷ、ＣＤ−Ｒ、ＣＤ−ＲＷ、メモリカード、ビデオテープ等である記録ユニットであってもよい。
【００２４】
また、図１及び図２に示す液晶プロジェクタ１０において、液晶を有する液晶プロジェクタユニット２０に代えて、ＤＭＤ(Digital Micromirror Device)を有するＤＭＤプロジェクタユニットを備えてもよい。
【図面の簡単な説明】
【００２５】
【図１】本発明の実施例１になる液晶プロジェクタを示す斜視図である。
【図２】図１の液晶プロジェクタのブロック図である。
【符号の説明】
【００２６】
１０  液晶プロジェクタ
１１  筐体
２０  液晶プロジェクタ光学ユニット
２５  スピーカ
２６  マイク
３０  ＤＶＤ−ＲＡＭユニット
３１  未記録のＤＶＤ−ＲＡＭ
３１Ａ  記録済みのＤＶＤ−ＲＡＭ
３６、５０  コントローラ
３７  ＡＶデコーダ
３８  ＡＶエンコーダ
５１  ＣＰＵ
５２  ビデオ信号処理部
７０  操作部
【図１】
2006003656.tif 000003
【図２】
2006003656.tif 000004